(57)【要約】【課題】  面状光源装置および表示装置において、フラットケーブルが、ケース等の他部材と接触して損傷することを防止するフラットケーブルの配線の保護手段を提供する。また、このフラットケーブルの配線保護手段は、ケース内に異物が進入し難く、ケース外部に光が漏れることを防止する。【解決手段】  本発明の面状光源装置および表示装置は、下ケース７の導出部７１に対応する位置に配置される反射シート５に、フラットケーブル２の電源供給部２２を挿入するスリット５１を備えている。スリット５１は、導出部７１を形成するエッジ７２から所定の間隔を備えて形成されている。【選択図】      図３
2013045512.tif 000002
【特許請求の範囲】
【請求項１】
光源と、
前記光源を実装する光源実装部および前記光源に電源を供給する電源供給部を備えたフラットケーブルと、
前記光源からの光を反射する反射シートと、
前記光源、前記フラットケーブルの光源実装部、前記反射シートを内部に収納し、前記フラットケーブルの電源供給部を外部に導出する導出部を備えたケースと、を備え
前記導出部に配置される前記反射シートは、前記導出部を構成するエッジに対し所定の間隔を備えた位置にスリットが形成され、
前記スリットに前記フラットケーブルの電源供給部を挿入したことを特徴とする面状光源装置。
【請求項２】
前記導出部に配置される反射シートは、前記反射シートの一端部より突出し、前記導出部に対応した延長部を形成し、前記延長部により、前記ケースの内面側より前記導出部を覆うことを特徴とする請求項１記載の面状光源装置。
【請求項３】
前記スリットは、前記延長部に形成されていることを特徴とする請求項２記載の面状光源装置。
【請求項４】
前記延長部は、前記延長部に形成された折り曲げ部に沿って折り曲げられた２重構造であって、平面視同位置において、互いに重なる位置または互いに異なる位置に前記スリットが複数形成されていることを特徴とする請求項２または３記載の面状光源装置。
【請求項５】
前記反射シートに形成される前記スリットは、前記延長部に設けられ、前記スリットの一方の端部は、前記延長部の一端部まで延長して形成させたことを特徴とする請求項２乃至４のいずれか１項に記載の面状光源装置。
【請求項６】
前記反射シートは、少なくとも一つのスリット部の端部に丸孔を形成していることを特徴とする請求項２乃至５のいずれか１項に記載の面状光源装置。
【請求項７】
前記反射シートの折り曲げ部は、ミシン目状のスリットであることを特徴とする請求項４記載の面状光源装置。
【請求項８】
前記光源実装部は、複数の点状光源が配置されており、
前記延長部は、前記点状光源間に配置され、前記光源実装部および前記導出部と対向する位置に配置されて、折り曲げ部により折り曲げられた２重構造を備えており、
前記光源実装部と対向する位置および前記導出部と対向する位置に前記電源供給部が挿入されるスリットをさらに備えたことを特徴とする請求項３記載の面状光源装置。
【請求項９】
前記光源は、発光ダイオードであることを特徴とする請求項１乃至８のいずれか１項に記載の面状光源装置。
【請求項１０】
請求項１乃至９のいずれか１項に記載の面状光源装置に対向して配置され、前記面状光源装置から出射される光により画像を表示する表示素子を備える表示装置。
【発明の詳細な説明】
【技術分野】
【０００１】
本発明は面状光源装置および面状光源装置の出射面に表示素子を配置し、画像を表示する表示装置に関する。
【背景技術】
【０００２】
従来の面状光源装置は、特許文献１に示すように、導光板、光源、光学シート、光源に接続された電気回路をおよびこれらを収納するケースを含み、上記配線導出部を介してケースから外部に導出されたフラットケーブル（フレキシブルプリント基板）と光学シートを備えており、配線導出部とフラットケーブルとの間に介在された配線保護部を備えている。
【０００３】
【特許文献１】特開２００９-１６３９５２号公報
【発明の開示】
【発明が解決しようとする課題】
【０００４】
しかしながら、特許文献１に示されたバックライトユニットおよび表示装置ではフラットケーブルがケースのエッジに触れる為、フラットケーブルの保護は十分でないという問題があった。加えて、配線導出部が大きく開口しているため、ケース内への異物の進入、および光源からの光が外部に漏れるという問題があった。
【０００５】
本発明の面状光源装置および表示装置は、上記問題を解決し、フラットケーブルが、損傷することを防止するフラットケーブルの配線の保護手段を提供する。また、このフラットケーブルの配線保護手段は、ケース内に異物が進入し難く、ケース外部に光が漏れることを防止することを目的とする。
【課題を解決するための手段】
【０００６】
本発明にかかる面状光源装置および表示装置は、光源と、光源を実装する光源実装部および光源に電源を供給する電源供給部を備えたフラットケーブルと、光源からの光を反射する反射シートと、光源、フラットケーブルの光源実装部、反射シートを内部に収納し、フラットケーブルの電源供給部を外部に導出する導出部を備えたケースと、を備えており、導出部に配置される反射シートは、導出部を構成するエッジに対し所定の間隔を備えた位置にスリットが形成され、スリットにフラットケーブルの電源供給部を挿入したことを特徴とする。
【発明の効果】
【０００７】
本発明によれば、フラットケーブルの損傷を防ぐことができるとともに、ケースの導出部から面状光源装置内に進入する異物を防ぐことができ、面状光源装置からの光が導出部から漏れることを抑制できる。
【図面の簡単な説明】
【０００８】
【図１】本発明に係る表示装置の分解斜視図である。
【図２】本発明に係る面状光源装置の平面図である。
【図３】本発明に係る面状光源装置の断面図である。
【図４】本発明に係る面状光源装置の要部拡大図である。
【図５】本発明に係る面状光源装置の要部拡大図である。
【図６】本発明に係る反射シートの要部拡大図である。
【図７】本発明に係る面状光源装置の断面図である。
【図８】本発明に係る反射シートの要部拡大図である。
【図９】本発明に係る面状光源装置の断面図である。
【図１０】本発明に係る面状光源装置の要部拡大図である。
【図１１】本発明に係る面状光源装置の断面図である。
【図１２】本発明に係る面状光源装置の断面図である。
【図１３】本発明に係る反射シートの要部拡大図である。
【図１４】本発明に係る反射シートの平面図である。
【発明を実施するための形態】
【０００９】
（実施の形態１）
本発明にかかる表示装置の構成について図面に基づいて説明する。なお、各図において同一の符号を用いたものは、実質的に同様の構成を示す。図１は本発明における表示装置の分解斜視図、図２は図１に示す面状光源装置の平面図、図３は図１の面状光源装置を組立てた状態でＩ−Ｉ方向から見た断面図、図４、図５は面状光源装置の要部拡大図である。
【００１０】
＜全体の構成＞
図１に示すように、本発明の面状光源装置１０は、ＬＥＤなどの複数の点状光源１が略一列に配列され、フラットケーブル２に実装されている。また点状光源１は、光を伝播する導光板３の入射面３ａ（光源から光が入射する側面を入射面３ａという）の近傍に配置され、入射面３ａから入射した点状光源１の光は導光板３内を伝播して、導光板３の出射面３ｂ（図１の導光板３における紙面上方の面）から出射される。導光板３の出射面３ｂ側には光学シート類４が設けており、導光板３の反出射面３ｃ（図１の導光板３における紙面下方の面）側には反射シート５が配置されている。そして、図１に示す面状光源装置１０では、点状光源１、フラットケーブル２、導光板３、光学シート類４および反射シート５を下ケース７に収納し、上ケース６とで挟持している。なお、上ケース６には開口部６ａが設けられており、当該開口部６ａは導光板３の出射面３ｂと対応している。そのため、面状光源装置１０は、当該開口部６ａから面状の光を出射するものである。また、該開口部６ａの大きさは導光板３の外周より内側になるように設計されている。
【００１１】
＜点状光源＞
本実施の形態に用いる光源としては、ＬＥＤ以外にレーザーダイオード（Ｌａｓｅｒ  Ｄｉｏｄｅ）などの点状の光源、および冷陰極管（Ｃｏｌｄ  Ｃａｔｈｏｄｅ  Ｆｌｕｏｒｅｓｃｅｎｔ  Ｌａｍｐ）などの線光源がある。特に、ＬＥＤには、青色等の単色を発行する半導体発光素子や、半導体発光素子から発せられる青色光の一部を吸収し黄色の光を発する蛍光体からなる擬似白色ＬＥＤ等を用いる場合がある。また、ＬＥＤには、ＲＥＤ（赤）、ＧＲＥＥＮ（緑）、ＢＬＵＥ（青）の素子を備えて、３つの単色光に合成光で白色光を発するＬＥＤを用いる場合がある。本実施の形態では擬似白色ＬＥＤを点状光源１として使用した。
【００１２】
＜フラットケーブル＞
光源基板であるフラットケーブル２（ＦＦＣ：Ｆｌｅｘｉｂｌｅ  Ｆｌａｔ  Ｃａｂｌｅ）はフレキシブルプリント基板（ＦＰＣ：Ｆｌｅｘｉｂｌｅ  Ｐｒｉｎｔｅｄ  Ｃｉｒｃｕｉｔｓ）などがある。一般的にフラットケーブル２は厚み１２μｍから５０μｍのフィルム状の絶縁体（ベースフィルム）の上に接着層を形成し、さらにその上に厚み１２μｍから５０μｍ程度の導体箔を形成した構造である。このため、フラットケーブル２は厚みを薄くすることができる。加えて、小さい力で繰り返し変形させることが可能であり、変形した場合でも電気的特性は維持できる。
【００１３】
点状光源１は図１に示すように所定の間隔で光源基板であるフラットケーブル２の光源実装部２１に実装されている。また、点状光源１に電源を供給するため、光源実装部２１から延在する電源供給部２２を備えている。フラットケーブル２の光源実装部２１は導光板３の入射面３ａに対峙するように配置され、下ケース７の内側面に両面テープまたは接着剤等で固定されている。なお、図１では導光板３の１つの側面（入射面３ａ）にのみ点状光源１及びフラットケーブル２を設けているが、本発明はこれに限らず導光板３の２つ以上の側面に点状光源１及びフラットケーブル２を配置してもよい。また、フラットケーブル２は、点状光源１を保持するとともに、点状光源１に電力を供給するための回路パターンが形成されている。また、光源基板として基板厚みが薄いフラットケーブル２を用いることで、実装された点状光源１からの熱をさらに効率よく周囲に伝えることができる。また、面状光源装置の外形サイズを小さくすることができる。なお、フラットケーブル２ではなく、電気を光源に供給するケーブル線等を用いることもできる。
【００１４】
＜導光板＞
導光板３は、透明なアクリル樹脂やポリカーボネート樹脂、ガラスなどの材料で構成されている。また、導光板３の反出射面３ｃには、光の伝播方向を乱して出射面３ｂに光を導くための光散乱部（図示せず）が形成されている。この光散乱部は、光を導光板３の内部に向かって反射する手段として機能する。具体的には、反出射面３ｃにドットパターンを印刷する方法や、反出射面３ｃを粗面にする方法、微小な球面やプリズムなどの光の伝播方向を変化させる凹凸を反出射面３ｃに形成する方法等がある。
【００１５】
＜反射シート＞
反射シート５は、ＰＰ（ポリプロピレン）又はＰＥＴ（ポリエチレンテレフタレート）に硫酸バリウムもしくは酸化チタンを混ぜ合わせた材料を用いて形成する。また、反射シート５には、樹脂に微細な気泡を形成した材料や、金属板に銀を蒸着した材料、金属板に酸化チタン等を含む塗料を塗布した材料等を用いても良い。なお、反射シート５としては、反射率が９０％以上であることが望ましく、そのため反射シート５を複数枚重ねることで反射率を上げても良い。反射シート５の反射率を上げることで、面状光源装置１０の輝度が上昇する。また、反射シート５の導光板３側の面又は反導光板３側の面に、ドットパターン印刷を施すことで導光板３の出射面３ｂでの輝度均一性を改善する事ができる。さらに、反射シート５に有色の印刷を施すことで、導光板３の光の吸収、または反射シート５の光の吸収により生じる出射面３ｂでの色変化を相殺することができる。反射シート５の反導光板３側の面に印刷を施す場合、出射面３ｂへの影響を微調整することが可能となり、点状光源１間の輝度ムラや色ムラをさらに制御し、抑制し易くなるというメリットがある。図１に示す通り、反射シート５は、導光板３の反出射面３ｃ側に配置したが、入射面３ａ以外の側面においても反射シート５を配置することで、導光板３の側面から出射される光を再び導光板３に戻すことができ、出射面３ｂでの輝度を向上させることができる。
【００１６】
＜光学シート＞
導光板３上には、複数の光学シートからなる光学シート類４が配置されている。具体的には光学シート類４は、レンズシートを拡散シートで挟み込む構成である。また、面状光源装置の輝度を向上させる場合、レンズシートの表面に形成されるプリズム方向を考慮して、複数枚のレンズシートを組み合わせても良い。また、拡散シートは拡散性を向上させるために、２枚以上を組み合わせて用いることも可能である。レンズシートの配光特性によっては、光学シート類４にレンズシートを１枚とする構成でも良いし、また使用しない構成でも良い。また、光学シート類４は、保護シート、レンズシート又は偏光反射シート５を組み合わせても良い。なお、光学シート類４の使用については、求める輝度や配光特性等を鑑みて最適化することが好ましい。
【００１７】
＜上ケース＞
上ケース６は、導光板３の出射面３ｂからの光を透過させる開口部６ａを有し、それ以外の部分からは出来る限り外部に光が漏れないように構成されている。上ケース６はアルミニウム、ステンレス、鉄等の金属材や、ＰＣ（ポリカーボネート）、ＡＢＳ（アクリロニトリルブタジエンスチレン）等の樹脂材料を用いることができる。
【００１８】
＜下ケース＞
下ケース７は、点状光源１から放出される熱を伝導させ周囲に放出する機能を有している。また、下ケース７は各部材を収納し、所定の位置に位置決めする必要があることから高い強度が求められる。このため、下ケース７は強度が強く、熱伝導性が高い金属が望ましい。特に熱伝導性が高いアルミまたはアルミ合金ケースを下ケース７に用いることで、効率よく点状光源１からの熱を拡散でき、点状光源１の温度を下げることができる。また、下ケース７に広がった熱を効率よく大気に逃がすために、下ケース７は面状光源装置の最外周に配設することが特に好ましい。
【００１９】
＜表示装置＞
面状光源装置１０は、上ケース６の開口部６ａ上に表示素子９を配置し、表示装置１００を構成している。表示素子９は、導光板３の出射面３ｂ上に光学シート類４を介して配置されている。液晶の複屈折性を応用した表示素子９を用いる場合、表示素子９は、ガラスなどの絶縁性基板上に着色層、遮光層、対向電極等が形成された対向基板と、ガラスなどの絶縁性基板上にスイッチング素子となる薄膜トランジスタ（ＴＦＴ）、画素電極等が形成されたＴＦＴアレイ基板とを備えている（図示せず）。そして、対向基板とＴＦＴアレイ基板との間隔を保持するためのスペーサ、対向基板とＴＦＴアレイ基板とを貼り合わせるためのシール材、対向基板とＴＦＴアレイ基板との間に狭持させる液晶、液晶を注入する注入口の封止材、液晶を配光させる配向膜、および偏光板などにより構成されている（図示せず）。
【００２０】
なお、表示装置１００には、表示素子９を駆動するための図示しない回路基板を備えている。回路基板には、ガラスエポキシ等に銅パターンが形成されており、複数の電子部品が半田実装されている。回路基板は面状光源装置１０の裏面側（光が出射されない側）に主に配置され、固定ネジ、カシメ、引掛け爪等で面状光源装置と機械的に接続されている。また、回路基板を外部からの圧力や静電気から保護するために、図示しない保護カバーが取り付けられている。保護カバーの材料としては、アルミニウムやステンレス、亜鉛めっき鋼板等が用いられる。また、保護カバーの回路基板側には回路基板や回路基板上の電子部品との電気的接触を避けるためにＰＥＴ等の樹脂製シート（図示せず）が貼り付けられている。保護カバーは面状光源装置に裏面にネジ、カシメ等で機械的に接続されている。また、保護カバーには、取り付け後に回路基板上の可変抵抗を制御することができるように可変抵抗の近傍に孔（貫通穴）を有している。なお、保護カバーは外部からの圧力等が大きくない場合は、ＰＥＴシートで代用することもできる。この場合、回路基板間に絶縁用のシートを貼り付ける必要がないため、部品点数を削減でき、コストを抑えることができる。
【００２１】
＜導出部＞
下ケース７にはフラットケーブル２を下ケース７より外部に導出するための導出部７１が形成されている。図１に示すとおり、一例として、導出部７１はエッジ７２を有する矩形状の孔で形成されている。図３に示すように、光源実装部２１から延在する電源供給部２２は下ケース７の導出部７１を通して下ケース７の外部に導出される。なお、導出部７１より導出された電源供給部２２は、下ケースの外部に配置される他部材と連結してフラットケーブル２に電力を供給する（図示せず）。
【００２２】
図１または図４に示すように、下ケース７の導出部７１に配置される反射シート５は、導出部７１に対応する位置に、スリット５１が設けられている。スリット５１は導出部７１を構成するエッジ７２より所定の間隔を備えて離れた位置に形成する。そして、図５に示すように、フラットケーブル２を下ケース７の導光板の入射面３ａに対向するように配置させ、フラットケーブル２の電源供給部２２を反射シート５のスリット５１に挿入し、導出部７１より下ケース７の外部に導出させる。このように、フラットケーブル２の電源供給部２２を導出部７１より下ケース７の外部に導出させる場合、導出部７１のエッジ７２から離れた位置に形成された反射シート５のスリット５１にフラットケーブル２を挿入させる。このため、フラットケーブル２が直接、導出部７１のエッジ７２に接触してフラットケーブル２が断線し、点状光源１が不点灯になることを防ぐことができる。なお、スリット５１は互いに対向する導出部７１のエッジ７２の略中間位置に設けることで、反射シート５が多少ずれることがあっても、フラットケーブル２が下ケース７のエッジ７２と接触することを防止することができる。
【００２３】
また、図４に示すように、スリット５１の長さＨはフラットケーブル２の電源供給部２２の幅よりも大きく形成する。具体的には、フラットケーブル２の電源供給部２２の幅よりも０．５ｍｍから１ｍｍ程度大きくすることで、フラットケーブル２を挿入するための余裕を残し、異物の挿入や光漏れを防止することができる。また、スリット５１の幅はスリット５１に挿入するフラットケーブル２の電源供給部２２の厚み以下であることが望ましい。厚み以下で形成することで、異物の挿入や光漏れを防止することができる。また、スリット５１の両端には、丸穴加工を施す。丸穴によりスリット５１へのフラットケーブル２の電源供給部２２の挿入時にスリット５１の端部に応力が集中することが緩和され、スリット５１が切れることを防ぐことができる。なお、反射シート５のスリット５１はトムソン金型加工等を用いて形成されている。
【００２４】
次に、実施の形態１の面状光源装置１０の組み立て方法を図１乃至図５により説明する。まず、点状光源１を実装したフラットケーブル２の光源実装部２１を下ケース７の内側面に両面テープや、接着剤等で固定する。次に反射シート５を下ケース７の内面に設置する。次にフラットケーブル２の電源供給部２２を反射シート５のスリット５１に挿入して下ケース７の導出部７１より外側に引き出す。その後、導光板３、光学シート類４を設置し、上ケース６を下ケース７に係合させる。
【００２５】
上記説明した通り、本実施の形態１の面状光源装置は、下ケース７の導出部７１に対応する位置に配置される反射シート５にフラットケーブル２の電源供給部２２を挿入するスリット５１を備えている。スリット５１は導出部７１を形成するエッジ７２から所定の間隔を備えて形成させているため、フラットケーブル２の電源供給部２２をエッジ７２より離れた位置に配置できることにより、導出部７１のエッジ７２に接触してフラットケーブル２の電源供給部２２が断線し、点状光源１が不点灯になることを防ぐことができる。
【００２６】
図６、図７に本実施の形態１に用いる反射シート５の変形例を示す。図６は本実施の形態１に用いる反射シート５の要部拡大図、図７は図６で示す反射シート５を面状光源装置に配置した場合の断面図である。図６（ａ）に示すとおり、反射シート５は、導光板３の入射面３ａ側に配置される一側部５０より突出し、導出部７１の形状に対応して延長する延長部５２を備えている。この反射シート５は、導出部７１を下ケース７の内面側より導出部７１を覆うように配置することで、異物の挿入や光漏れをさらに防止することができる。これにより、異物が表示素子の表示面内に入り込み、表示装置の表示不良の発生させる不具合を防ぐことができるとともに、導出部７１からの光漏れを防ぐことができる。
【００２７】
なお、延長部５２は下ケース７の内側部に沿うように曲げる構造（図示せず）としてもよい。これにより、外部からの異物の挿入を防止し、導光板３より漏れる光により輝度が低下することをさらに防止することができる。
【００２８】
また、図６（ｂ）に示すように、延長部５２にスリット５１を形成してもよい。この場合、延長部５２に形成されるスリット５１は、延長部５２の一端部５２１まで延長させる。このような構成とすることで、フラットケーブル２の電源供給部２２を反射シート５に挿入させる際、作業性を向上させることができる。
【００２９】
（実施の形態２）
図８に本実施の形態に係る面状光源装置に配置する反射シート５の要部拡大図、図９に図８の反射シート５を配置した面状光源装置の断面図、図１０に図８の反射シート５を配置した場合の面状光源装置の正面図を示す。実施の形態１における面状光源装置において、反射シート５は、下ケース７の導出部７１に対応して設けたスリット５１が１つである例を示したが、本実施の形態２に係る面状光源装置では、図８乃至図１０に示すとおり、反射シート５に複数のスリット５１１、５１２を設け、導出部７１に対応して配置される反射シート５を２重構造とした。なお、本実施の形態２で説明する構成以外は、実施の形態１と同様である。また、以下で説明する本実施の形態２に係る表示装置の特有の作用効果以外は、実施の形態１に係る表示装置と同様の作用効果を奏する。
【００３０】
図８乃至図１０に示すように、実施の形態２で用いる反射シート５は、反射シート５の一端部５０より突出する延長部５２を設け、延長部５２に設けられた少なくとも一つのミシン目５３に沿って、下ケース７の外部方向に１８０度折り曲げられ２重構造を呈している。反射シート５の２重構造部において、導光板３側をＡ部、下ケース７側をＢ部とし、Ａ部とＢ部にはスリット５１１、５１２がそれぞれ形成されている。延長部５２はミシン目５３を対称に折り曲げられ、スリット５１１、５１２が平面視同位置で互いに重なるように形成されている。また、スリット５１１、５１２の端部には、図６に示すように、丸穴を形成させる。
【００３１】
＜組み立て方法＞
次に、実施の形態２の面状光源装置の組み立て方法について述べる。まず、点状光源１を実装したフラットケーブル２の光源実装部２１を下ケース７の内側面に両面テープや、接着剤等で固定する。次に、反射シート５を下ケース７の内面に設置する。その際に反射シート５の延長部５２を導出部７１より下ケース７外側に引き出す。引き出した延長部５２のミシン目５３を外部方向に略１８０度折り曲げる。次にフラットケーブル２の電源供給部２２を延長部５１に形成したスリット５１１、５１２に通して導出部７１より、下ケース７の外側に引き出す。その後、導光板３、光学シート類４を設置し、上ケース６を下ケース７にかぶせる。
【００３２】
実施の形態２の構成によれば、Ａ部に形成したスリット５１１により、フラットケーブルの電源供給部２２が直接、導出部７１のエッジ７２に接触して、フラットケーブル２の電源供給部２２の配線が断線し、点状光源１が不点灯になることを防ぐことができるとともに、Ｂ部に形成したスリット５１２により、導出部７１近傍におけるフラットケーブルの電源供給部２２の動きを防止することができる。これにより、フラットケーブル２の電源供給部２２がエッジ７２に接触することをより確実に防止できる。
【００３３】
また、図９、図１０に示すように、反射シート５の２重折り曲げ位置（ミシン目状スリット５３）は、下ケース７に形成された導出部７１を覆う位置まで延長させてもよく、下ケース７から突出されていてもよい。これにより、点状光源１または導光板３から放出される光が下ケース７の導出部７１から漏れることを防ぐことができる。加えて、面状光源装置の内部に異物が進入して表示不良が発生することを防ぐことができる。
【００３４】
スリット５１１、５１２の長さは挿入するフラットケーブル２の電源供給部２２の幅よりも適宜大きくすることが望ましい。また、スリット５１１、５１２の幅はフラットケーブル２の電源供給部２２の厚み以下であることが望ましい。また、スリット５１１、５１２の両端は丸穴加工を施すことで、フラットケーブル２挿入時にスリット５１１、５１２が切れることを防止できる。
【００３５】
反射シート５の延長部５２において、Ａ部に形成されるスリット５１１とＢ部に形成されるスリット５１２の長さ（Ｈ）を変えることも可能である。スリット５１１とスリット５１２の長さを変えることで、スリット５１１、５１２の両端の丸穴から漏れる光および、外部からの異物の進入経路が直線でないように形成することで、異物や光が進入し難くすることができる。
【００３６】
本実施の形態２の変形例を図１１に示す。図１１は本変形例における面状光源装置の断面図である。図１１に示すように、反射シート５の延長部５２において、折り曲げたＢの端部を下ケース７と導光板３との間に挿入させる構成とした。これにより、反射シート５を固定して、反射シート５が外部に飛び出すことを防止し、反射シート５の位置ずれや動きを防止することができる。このように、反射シート５の位置ずれや反射シート５の移動を防止することができるため、より確実にフラットケーブル２の電源供給部２２が導出部７１のエッジ７２と接触することを防止することができる。
【００３７】
本実施の形態２では反射シート５のスリット５１１、５１２はミシン目５３で略１８０度折り曲げた際に平面視同位置にスリット５１１、５１２が重なるように形成されているが、スリット位置を平面視で異なる位置に形成することで、点状光源１および導光板３からの光が漏れることをより防ぐことができ、加えて外部からの異物進入を防ぐことができる。
【００３８】
（実施の形態３）
図１２に本実施の形態３に係る面状光源装置の断面図、図１３に反射シート５の要部拡大図を示す。図１２および図１３に示す実施の形態３に係る構成以外は、実施の形態１、２と同様である。また、以下で説明する本実施の形態３に係る表示装置の特有の作用効果以外は、実施の形態１、２に係る表示装置と同様の作用効果を奏するため、説明は省略する。
【００３９】
図１２、図１３により、反射シート５に形成される延長部５４について説明する。延長部５４は、反射シート５の一端部５０より突出しており、延長部５４に設けられた複数の折り曲げ部で折り曲げられ、２重構造を呈している。また、延長部５４は、光源が配置されていない部分、すなわち点状光源１間に配置され、導光板３の入射面３ａと対峙する部位をＸ部、Ｘ部とフラットケーブル２の光源実装部２１との間に配置される部位をＹ部、Ｙ部から延長し、下ケース７の導出部７１から導出する部位をＺ部とする。
【００４０】
Ｘ部は、延長部５４と一端部５０との間に設けられたスリットまたはミシン目５４１により断面視上方向に９０度折り曲げられ、導光板３の入射面３ａとフラットケーブル２の光源実装部２１との間に介在する。次に、Ｙ部は、Ｘ部の一辺と接続され、両者の接続部に設けられたスリットまたはミシン目５４２により、フラットケーブル２の光源実装部２１側に略１８０度折り曲げられている。また、Ｙ部には、スリット５１３が設けられている。また、Ｚ部はＹ部と一辺が接続され、接続部に設けられたスリット５４３により、約９０度折り曲げられて形成されている。また、Ｚ部にはスリット５１４が設けられる。
【００４１】
フラットケーブル２の電源供給部２２は、まず反射シート５のＹ部に設けられたスリット５１３に挿入され、光源実装部２１側から導光板３側に導出される。次に、Ｚ部に設けられたスリット５１４に挿入され、面状光源装置１０の外側に導出される。Ｚ部のスリット５１４は下ケース７の導出部７１のエッジ７２より距離を保って形成することで、フラットケーブル２が導出部７１のエッジ７２に接触してフラットケーブル２が破損することを防ぐことができる。また、フラットケーブル２の電源供給部２２をＹ部に設けたスリット５１３により、Ｙ部とＸ部との間に配置させることで、導光板３の入射面３ａと直接対峙することを防止できるため、導光板３から漏れる光を効率よく反射シート５で反射して導光板３に戻すことにより、光の利用効率を向上させ、面状光源装置１０の輝度を上昇させることができる。
【００４２】
また、図１２の断面図に示す通り、下ケース７の導出部７１において、反射シート５の延長部５４により２重でカバーされているため、点状光源１からの光を外部に漏らすことがないばかりでなく、外部から導出部７１を介した異物の進入を防止することができる。
【００４３】
本実施の形態ではスリットはＹ部とＺ部にそれぞれ一箇所設けているが、Ｙ部に２箇所またはＺ部に２箇所スリットを設けることも可能である。
【００４４】
スリット５１３、５１４は実施の形態１と同様にスリットを延長部の端部まで延長して形成することで、フラットケーブル２の電源供給部２２の挿入が容易となるため、組立て性が向上する。
【００４５】
図１４に実施の形態３における変形例を示す。図１４は反射シートの平面図である。図１４に示すとおり、本実施の形態３の反射シート５は、延長部５４の他、フラットケーブル２の光源実装部２１の点状光源１間において、一端部５０より突出し導光板３の入射面３ａに対峙する面まで延長される延長部５５を形成した。これにより、点状光源１からの光および導光板３の入射面３ａから出射した一部の光が反射シート５の面で反射して、再び導光板３に入射されるため、面状光源装置１０の光利用効率を向上させ、輝度を上昇させることができる。反射シート５は点状光源１実装部周辺では延長しないため、図１４に示す通り、櫛歯形状となる。
【００４６】
なお、上記の各実施の形態において説明した構成については、本発明の効果を逸脱しない範囲で、種々適用可能である。
【符号の説明】
【００４７】
１  点状光源、２  フラットケーブル、  ２１  光源実装部、  ２２  電源供給部、
３  導光板、  ３ａ  入射面、  ３ｂ  出射面、４  光学シート類、  ５  反射シート、
５１、５１１、５１２  スリット、５２、５４  延長部、５３  ミシン目、
６  上ケース、７  下ケース、７１  導出部、  ７２  導出部のエッジ、
９  表示素子、１０  面状光源装置、１００  表示装置。
【図１】
2013045512.tif 000003
【図２】
2013045512.tif 000004
【図３】
2013045512.tif 000005
【図４】
2013045512.tif 000006
【図５】
2013045512.tif 000007
【図６】
2013045512.tif 000008
【図７】
2013045512.tif 000009
【図８】
2013045512.tif 000010
【図９】
2013045512.tif 000011
【図１０】
2013045512.tif 000012
【図１１】
2013045512.tif 000013
【図１２】
2013045512.tif 000014
【図１３】
2013045512.tif 000015
【図１４】
2013045512.tif 000016